(57)【要約】創傷閉鎖材および流動性接着性皮膚塗布剤を用いた創傷を閉鎖する方法およびシステムを開示する。流動性接着剤は創傷閉鎖材を創傷の上の皮膚に接着しないことで刺激を軽減する。いくつかの実施態様では、皮膚塗布剤はシロキサン含有ポリマー１〜４０％；アルカンをベースとしたシロキサンポリマー反応溶媒６０〜９９％；および補助剤０〜１５％を含むだろう。かかる皮膚塗布剤と共に用いる創傷閉鎖材は、微細孔性ポリプロピレンフィルム製の創傷架橋部を含んでいてもよい。
2005526571.tif 000002
【特許請求の範囲】
【請求項１】
創傷を処置する方法であって、前記方法が：
１以上の創傷閉鎖材を創傷の対向側面上の皮膚に接着することによって創傷の対向する縁部を閉じた状態に保つステップであって、前記１以上の創傷閉鎖材の各創傷閉鎖材がバッキング、前記バッキングの一主面上にある接着剤層、および創傷架橋部を含み、前記１以上の創傷閉鎖材の各創傷閉鎖材の前記創傷架橋部が創傷の対向する縁部に接するステップ；および
前記１以上の創傷閉鎖材の前記接着剤層を用いて、創傷を横断する形で前記１以上の創傷閉鎖材を接着した後に、前記１以上の創傷閉鎖材に隣接する創傷に流動性接着性皮膚用塗布剤を塗布するステップを含み；
前記接着性皮膚用塗布剤が創傷上の皮膚に前記１以上の創傷閉鎖材を接着しない方法。
【請求項２】
前記接着性皮膚塗布剤を前記１以上の創傷閉鎖材に塗布することを更に含む、請求項１に記載の方法。
【請求項３】
創傷の対向する縁部と接する前記創傷架橋部が多孔性である、請求項１に記載の方法。
【請求項４】
創傷の対向する縁部と接する前記創傷架橋部および前記接着性皮膚塗布剤が相互に接着しない、請求項１に記載の方法。
【請求項５】
創傷の対向する縁部と接する前記創傷架橋部と皮膚との間の接着強度が約３０グラム／センチメートル以下である、請求項１に記載の方法。
【請求項６】
前記接着性皮膚塗布剤が
シロキサン含有ポリマー１〜４０％；
アルカンをベースとしたシロキサンポリマー反応溶媒６０〜９９％；および
補助剤０〜１５％
を含む、請求項１に記載の方法。
【請求項７】
創傷の対向する縁部に接する前記創傷架橋部が微細孔性ポリプロピレンフィルムを含む、請求項６に記載の方法。
【請求項８】
前記接着性皮膚塗布剤がシアノアクリレートをベースとする接着剤を含む、請求項１に記載の方法。
【請求項９】
前記接着性皮膚塗布剤がピロキシリンをベースとする接着剤を含む、請求項１に記載の方法。
【請求項１０】
１以上の創傷閉鎖材の各創傷閉鎖材が：
対向する弾性端部；および
前記端部間をまたぐ創傷架橋部を含み、
前記創傷閉鎖材は３０％伸長した後に少なくとも８５％回復し、そして同一の力を加えた時に前記創傷架橋部は前記端部に比べ伸長が小さく、それによって前記創傷架橋部は皮膚の伸長により生ずる力に対抗して創傷を閉じた状態に保ちやすくなる、請求項１に記載の方法。
【請求項１１】
前記創傷閉鎖材が３０％伸長した時の前記創傷架橋部の伸長が８％以下である、請求項１０に記載の方法。
【請求項１２】
前記創傷閉鎖材が３０％伸長した時の前記創傷架橋部の伸長が１％以下である、請求項１０に記載の方法。
【請求項１３】
創傷を処置する方法であって、前記方法が：
１以上の創傷閉鎖材を創傷の対向側面の皮膚に接着させることにより創傷の対向する縁部を閉じた状態に保つステップであって、前記１以上の創傷閉鎖材の各創傷閉鎖材がバッキング、前記バッキングの一主面上にある接着剤層、および創傷架橋部を含み、前記１以上の創傷閉鎖材の各創傷閉鎖材の前記創傷架橋部が創傷の対向する縁部と接し、そして創傷の対向する縁部に接する前記１以上の創傷閉鎖材の各創傷閉鎖材の前記創傷架橋部が微細孔性ポリプロピレンフィルムを含むステップ；および
前記１以上の創傷閉鎖材の前記接着剤層を用いて、創傷を横断する形で前記１以上の創傷閉鎖材を接着した後に、前記１以上の創傷閉鎖材に隣接する創傷に流動性接着性皮膚用塗布剤を塗布するステップであって、前記接着性皮膚塗布剤がシロキサン含有ポリマー１〜４０％；アルカンをベースとしたシロキサンポリマー反応溶媒６０〜９９％；および補助剤０〜１５％を含むステップを含み；
創傷の対向する縁部と接する各創傷架橋部と皮膚との間の接着強度が約３０グラム／センチメートル以下である方法。
【請求項１４】
ある量の流動性接着性皮膚塗布剤；
バッキング、創傷の上に配置するのに適した創傷架橋部、および感圧接着剤を含む少なくとも１つの創傷閉鎖材を含み、前記接着性皮膚塗布剤が少なくとも１つの創傷閉鎖材の前記創傷架橋部を皮膚に接着しない、創傷閉鎖システム。
【請求項１５】
前記創傷架橋部と皮膚との間の接着強度が約３０グラム／センチメートル以下である、請求項１４に記載のシステム。
【請求項１６】
前記創傷架橋部が多孔性である、請求項１４に記載のシステム。
【請求項１７】
前記接着性皮膚塗布剤が
シロキサン含有ポリマー１〜４０％；
アルカンをベースとしたシロキサンポリマー反応溶媒６０〜９９％；および
補助剤０〜１５％を含む、請求項１４に記載のシステム。
【請求項１８】
前記創傷架橋部が微細孔性ポリプロピレンフィルムを含む、請求項１７に記載のシステム。
【請求項１９】
前記接着性皮膚塗布剤がシアノアクリレートをベースとする接着剤を含む、請求項１４に記載のシステム。
【請求項２０】
前記接着性皮膚塗布剤がピロキシリンをベースとする接着剤を含む、請求項１４に記載のシステム。
【請求項２１】
前記少なくとも１つの創傷閉鎖材が：
対向する弾性端部；および
前記端部間をまたぐ創傷架橋部を含み、
前記創傷閉鎖材は３０％伸長した後に少なくとも８５％回復し、そして同一の力を加えた時に前記創傷架橋部は前記端部に比べ伸長が小さく、それによって前記創傷架橋部は皮膚の伸長により生ずる力に対抗して創傷を閉じた状態に保ちやすくなる、請求項１４に記載のシステム。
【請求項２２】
前記創傷閉鎖材が３０％伸長した時の前記創傷架橋部の伸長が８％以下である、請求項２０に記載のシステム。
【請求項２３】
前記創傷閉鎖材が３０％伸長した時の前記創傷架橋部の伸長が１％以下である、請求項２０に記載のシステム。
【請求項２４】
シロキサン含有ポリマー１〜４０％；アルカンをベースとしたシロキサンポリマー反応溶媒６０〜９９％；および補助剤０〜１５％を含む所定量の流動性接着性皮膚塗布剤；
バッキング、創傷の上に配置するのに適した、微細孔性ポリプロピレンフィルムを含む創傷架橋部、および感圧接着剤を含む少なくとも１つの創傷閉鎖材を含み、前記創傷架橋部と皮膚との間の接着強度が約３０グラム／センチメートル以下である、創傷閉鎖システム。
【発明の詳細な説明】
【技術分野】
【０００１】
本発明は、一般に接着性創傷閉鎖材および接着性皮膚用塗布剤を用いた、創傷の処置および閉鎖に関する。
【背景技術】
【０００２】
医学では創傷の閉鎖には長い間縫合が用いられてきた。最近、縫合につきものの更なる損傷を負わせることなくいくつかのタイプの創傷を効果的に閉じることができる接着閉鎖材が導入されている。これら接着閉鎖材は固体構造を提供するバッキングを有し、さらに皮膚に付着するための接着剤層を有する。これら製品のデザインが成功する上で満たさなければならない２つの主要な基準がある。即ち、創傷が関節近くにある場合でも皮膚にしっかり接着すること；および創傷端部を互いに接近させて保持する能力に優れていることである。
【０００３】
一つの方法は、基本のバッキングとして不織ウェブを使用し、そして縦方向または創傷を横切る方向に強い繊維を使ってこの材料を補強することである。バッキングの主要物質は患者の動きに合わせ皮膚と共に曲がることができ、そして補強繊維により軽量なバッキングを補強することで、創傷端部が剥がれにくい構造にすることができる。バッキングには皮膚と接触する面全てに強力な皮膚用接着剤が付けられる。補強繊維の強度は、創傷のすぐ近くへの確実な固定と組み合わさり、創傷が開くのをよく防ぐ。例えばミネソタ州セントポール（Ｓｔ．Ｐａｕｌ，  ＭＮ）のミネソタ・マイニング・アンド・マニュファクチャリング・カンパニー（Ｍｉｎｎｅｓｏｔａ  Ｍｉｎｉｎｇ  ａｎｄ  Ｍａｎｕｆａｃｔｕｒｉｎｇ  Ｃｏｍｐｎａｙ）により市販されている「ステリ−ストリプス（ＳＴＥＲＩ−ＳＴＲＩＰＳ）」創傷閉鎖材はこの形に構成されている。
【０００４】
近年、創傷閉鎖材表面全体が本質的に伸長した場合でも創傷端部が適正に整合し続ける十分な寸法安定性を有する、創傷架橋部を含む創傷閉鎖材を提供すべく改良が続けられている。創傷架橋部はそれが最も必要とされる場所、即ち創傷の真上となる部分が寸法的に安定している。創傷閉鎖材の残りの部分は、実質的に創傷架橋部に比べより伸長性および弾性であり、快適性および創傷閉鎖材の患者への接着性を向上するのが好ましい。より具体的には、創傷閉鎖材は創傷材を皮膚に付着させる接着剤、弾性両端部、および前記両端部間にある創傷架橋部を有する。創傷閉鎖剤は３０％伸長した場合に少なくとも８５％を回復するように、そして同一の力を加えたときに端部に比べ創傷架橋部での伸長が小さくなるように構成される。このようにして創傷架橋部は皮膚の伸長により生ずる力に対抗して創傷を閉じた状態に保ちやすくなる。かかる創傷閉鎖材は、同時係属中の、２０００年９月２７日出願の、「ＣＯＮＦＯＲＭＡＢＬＥ  ＡＤＨＥＳＩＶＥ  ＷＯＵＮＤ  ＣＬＯＳＵＲＥＳ」（代理人事件整理番号５５９９０ＵＳＡ２Ａ．００２）と題する米国特許出願第０９／６７１，１２９号明細書に開示されている。
【０００５】
皮膚への接着ならびに創傷端部を開口しようとする力への対抗を獲得する様々な方策は、米国特許第５，２５９，８３５号明細書（クラーク（Ｃｌａｒｋ）ら）に開示されている。この参考文献では、創傷閉鎖材には長期間創傷を支えることが可能な流動性接着剤を受容する多孔性結合部材が用いられている。具体的には、流動性接着剤として好適であるものとしてシアノアクリレートが記載されている。このシステムの欠点は、ひとたび多孔性結合部材が流動性接着剤を受容すると、接着剤が皮膚に結合し、それが堅く結合し、体の動きによって皮膚が結合部の縁に当たって曲がり、その縁に沿って皮膚が刺激される可能性があることである。
【０００６】
皮膚へ触れる利用に有用な接着剤の別の群は、米国特許第６，３８３，５０２号明細書（ダンシー（Ｄｕｎｓｈｅｅ）ら）に開示されている。これら物質は良好な皮膚適合性を有し、そして疎水性であるため、それらは創傷内部に残りにくい。しかし、その引張り強さは、例えば皮膚のひび割れの閉鎖または密閉に十分であるに過ぎず、皮膚に通常加わる動きの範囲に関し、大きな創傷を押さえるには不十分である。
【発明の開示】
【課題を解決するための手段】
【０００７】
本発明は創傷閉鎖材および流動性接着性皮膚用塗布剤の両方を使用して、創傷閉鎖材に隣接する、または挟まれる空間内に創傷の良好な対向する縁部を提供する創傷を閉鎖するためのシステムを提供することにより、上記問題に取り組んでいる。創傷縁部を開こうとする本質的な力に対抗して創傷縁部を閉じた状態に保つ創傷閉鎖材と、創傷縁部を良好な位置に固定するが大きな力を持続的に加えることのない流動性接着剤との組合せにより、それぞれ単独の場合に比べより効果的に創傷を閉じる。創傷閉鎖材および流動性接着剤を用いた従来のシステムとは異なり、皮膚塗布剤は皮膚に対し接着性であるが創傷に対しては接着性でなく、従って創傷付近の皮膚の機械的刺激は回避される。
【０００８】
本発明と関連して使用する場合、「流動性接着性皮膚塗布剤」とは硬化および／または乾燥して皮膚、爪および粘膜に接着する可撓性コーティングを残す液性ポリマーコーティング組成物を意味する。液性組成物は、使用者の皮膚、爪または粘膜に適用したとき室温（２０℃）にて硬化および／または乾燥できる。「可撓性」とは、コーティングが通常の皮膚の屈曲によりひび割れしないことを意味する。液性組成物および／または乾燥ポリマーフィルムは、無菌性を維持すること、および／またはその下の使用者体部に放出することを目的とする各種医薬品またはその他薬剤をその中に取り込むことができる。例えば香料、抗菌剤、植物性薬品、医薬品または同様の物質をコーティングから放出できる。
【０００９】
一態様では、本発明は、１以上の創傷閉鎖材を創傷の対向側面上の皮膚に接着することによって創傷の対向する縁部を閉じた状態に保つことにより、創傷を処置する方法であって、前記１以上の創傷閉鎖材の各創傷閉鎖材がバッキング、前記バッキングの一主面上にある接着層、および創傷架橋部を含み、各１以上の創傷閉鎖材の各創傷閉鎖材の前記創傷架橋部が創傷の対向する縁部に接する方法を提供する。この態様においては、方法はさらに、１以上の創傷閉鎖材の接着剤層を用いて、創傷を横断する形で１以上の創傷閉鎖材を接着した後に、１以上の創傷閉鎖材に隣接する創傷に流動性接着性皮膚塗布剤を塗布することを含み；接着性皮膚塗布剤が創傷上の皮膚に１以上の創傷閉鎖材を接着しない。
【００１０】
別の態様では、本発明は、１以上の創傷閉鎖材を創傷の対向側面上の皮膚に接着することによって創傷の対向する縁部を閉じた状態に保つことにより、創傷を処置する方法であって、前記１以上の創傷閉鎖材の各創傷閉鎖材がバッキング、前記バッキングの一主面上にある接着剤層、および創傷架橋部を含み、各１以上の創傷閉鎖材の各創傷閉鎖材の前記創傷架橋部が創傷の対向する縁部に接し、創傷の対向する縁部と接する１以上の創傷閉鎖材の各創傷閉鎖材の創傷架橋部が微細孔性ポリプロピレンフィルムを含む方法を提供する。この態様では、方法は、１以上の創傷閉鎖材上の接着層を用いて、創傷を横断する形で１以上の創傷閉鎖材を接着した後に、１以上の創傷閉鎖材に隣接する創傷に流動性接着性皮膚塗布剤を塗布するステップを更に含み、ここで接着性皮膚塗布剤がシロキサン含有ポリマー１〜４０％；アルカンをベースとしたシロキサンポリマー反応溶媒（Ａｌｋａｎｅ−Ｂａｓｅｄ  Ｓｉｌｏｘａｎｅ  Ｐｏｌｙｍｅｒ  Ｒｅａｃｔｉｏｎ  Ｓｏｌｖｅｎｔ）６０〜９９％；および補助剤０〜１５％を含み；ここで創傷の対向する縁部と接する各創傷架橋部と皮膚との間の接着強度が約３０グラム／センチメートル以下である。
【００１１】
別の態様では、本発明は、ある量の流動性接着性皮膚塗布剤；および裏剤、創傷の上に配置するのに適した創傷架橋部、および感圧接着剤を含む少なくとも１つの創傷閉鎖材を含み、前記接着性皮膚塗布剤が少なくとも１つの創傷閉鎖材の創傷架橋部を皮膚に接着しない創傷閉鎖システムを提供する。
【００１２】
別の態様では、本発明は、シロキサン含有ポリマー１〜４０％；アルカンをベースとしたシロキサンポリマー反応溶媒６０〜９９％；および補助剤０〜１５％を含む、ある量の流動性接着性皮膚塗布剤、ならびにバッキング、創傷の上に配置するのに適した、微細孔性ポリプロピレンフィルムを含む創傷架橋部、および感圧接着剤を含む少なくとも１つの創傷閉鎖材を含み、創傷架橋部と皮膚との間の接着強度が約３０グラム／センチメートル以下である創傷閉鎖システムを提供する。
【００１３】
接着性皮膚塗布剤は、皮膚に用いた時に非刺激性であるタイプのものであリ得る。この性質を有する好適な皮膚塗布剤の一群としては、米国特許第６，３８３，５０２号明細書（ダンシー（Ｄｕｎｓｈｅｅ）ら）に記載され、簡単に先述した塗布剤が挙げられる。このような組成物を特徴とするものの一つは、ａ）シロキサン含有ポリマー１〜４０％；ｂ）アルカンベースドシロキサンポリマー反応溶媒６０〜９９％；およびｃ）補助剤０〜１５％を含む、接着性皮膚塗布剤である。
【００１４】
本発明に関連し用いられる接着性皮膚塗布剤は、創傷閉鎖材の創傷架橋部を皮膚に実質的に接着しないことが好ましい。本発明に関連し使用する場合、用語「接着しない」とは、例えば約８０グラム／インチ（約３０グラム／センチメートル）以下；いくつかの例では約５０グラム／インチ（約２０グラム／センチメートル）以下の接着力を提供するものと定められる。
【００１５】
米国特許出願第０９／５３３，１３６号明細書に記載のタイプの接着性皮膚塗布剤を使用する場合には、接着性皮膚塗布剤によって生ずるような創傷架橋部と皮膚との間の接着を制限することは、多孔性フィルム、例えば多孔性ポリプロピレンフィルムを使用して創傷架橋部を作製することにより達成されるだろう。フィルムの多孔性は創傷の呼吸を可能にすること、および創傷架橋部の下に不注意に入り込んだ接着性皮膚塗布剤の溶媒部分を蒸発可能にするといった利点を提供するだろう。多孔性フィルムは微細孔性でもよく、この場合微細孔性フィルムの孔径は約１００マイクロメートル以下である。好適な微細孔性フィルムの一例は微細孔性ポリプロピレンフィルムである。
【００１６】
本発明に関連して用いられる創傷閉鎖材は、好ましくは弾性ウェブ、好ましくは熱可塑性弾性のメルトブロー繊維を含む弾性不織ウェブから作製されるバッキングを有する。バッキング材料は、創傷閉鎖材が３０％以下伸長した後で、創傷閉鎖材が少なくとも８５％回復する程度多方向性に弾性特性を有することが好ましい。３０％以下伸長した後、少なくとも９５％回復するのがより好ましい。
【００１７】
回復および伸長を百分率で表示して説明する場合には、回復率（％）とは、適当な期間、例えば１分以内経過後に創傷閉鎖材または創傷閉鎖材の関係部分が、伸長した長さについてその百分率だけ回復することを意味する。例えば創傷閉鎖材を元の長さより１センチメートル伸長したとき、回復率８５％では、創傷閉鎖材伸長後（即ち伸長力が取り除かれたとき）に０．８５センチメートル収縮することを意味する。伸長パーセンテージも同様に定義される。例えば、伸長前の長さが１ｃｍの創傷閉鎖材を３０％伸長した場合、伸長後のその長さは（回復前ではない）１．３ｃｍとなるだろう。
【００１８】
創傷架橋部は、バッキングの残り部分に比べ比較的寸法が安定していること、即ち創傷閉鎖材に伸長力を加えたときに、創傷閉鎖材の残り部分、例えば対向する端部に比べて創傷架橋部の伸長が小さいことが好ましい。創傷架橋部分の伸長は、創傷閉鎖材を３０％以下伸長したときに、８％以下であることが好ましい。より好ましくは創傷閉鎖材を３０％以下伸長したときに創傷架橋部の伸長は５％以下であり、最も好ましくは創傷閉鎖材を３０％以下伸長したときに創傷架橋部の伸長は１％以下である。いくつかの例では創傷架橋部の伸長は若干であり、即ち創傷閉鎖材を伸長したときに０％を超える伸長を示すだろう。
【００１９】
バッキングから分離している補強層を創傷閉鎖材の創傷架橋部に用いて、創傷架橋部に所望する寸法安定性を付与してもよい。補強層は、それが創傷接触材の患者側に配置される場合には、創傷接触層（即ち使用時に創傷に接触する層）の形をとってもよい。あるいは、例えば補強層はバッキングの創傷とは反対面の側に配置してもよい。さらに別の例では、補強層を創傷架橋部内のバッキングの両側に準備してもよい。
【００２０】
その位置に関係なく、補強層は、創傷閉鎖材が伸長したとき、補強層が創傷閉鎖材から剥がれないように、より好ましくは創傷閉鎖材を３０％伸長したときに補強層が創傷閉鎖材より剥がれないように強固にバッキングに取付けられていることが好ましい。補強層はあらゆる好適な技術、例えば接着剤、融着等を用いて創傷閉鎖材に取付けられてもよい。
【００２１】
本発明の創傷閉鎖材はまた、皮膚に創傷閉鎖材を付着する接着剤も含む。接着剤は、感圧接着剤であることが好ましい。好ましくは、これは比較的強い接着剤であり、患者の皮膚と強固に結合して不要な剥離を防止することができる。創傷閉鎖材を患者の皮膚に接着するのに用いる接着剤はまた、接着剤が創傷閉鎖材伸長時の創傷閉鎖材からの補強層の剥離を防止するのに十分な程度の強さを有している場合には、補強層を創傷閉鎖材の創傷架橋部分に取付けるのに用いてもよい。
【００２２】
いくつかの実施態様では、創傷架橋部の幅は端部の幅より狭くてもよい。これにより、皮膚接着剤が患者の皮膚と接する表面積を犠牲にすることなく、創傷域を最大範囲見ることが可能となる。対向する端部について、創傷架橋部から創傷閉鎖材端部までの距離が等しくないようにすることも有利である。これにより、眼のような構造が創傷近くにある時に創傷閉鎖材を配置し易くなることがある。
【００２３】
本発明のこれら、およびその他の特徴ならびに利点を、以下に本発明の例示された実施態様とともに説明する。
【００２４】
添付の図面のいくつかの図では、類似の部品には同じ参照番号を付している。
【発明を実施するための最良の形態】
【００２５】
図１を参照すると、創傷閉鎖システム例１０がキットの形で示されている。キット１０は創傷閉鎖材１２およびある量の接着性皮膚塗布剤１４を含んでいる。創傷閉鎖材１２は剥離ライナー１６に載せてもよく、一方接着性皮膚塗布剤１４は小出しボトル１８またはその他容器内に入れてもよい。好ましくは、システム１０はパッケージ２０に入れられる。いくつかの実施態様では、パッケージ２０は、いくつかのキット滅菌方法による作業に適するように作ることができ、例えばパッケージはエチレンオキサイドガスが透過できる不織ポリオレフィン層（例えばＴＹＶＥＫ）を含むことができる。
【００２６】
次に図２および図３を参照すると、創傷閉鎖材例１２が単独で示されている。創傷閉鎖材１２はバッキング２２およびバッキングに接する皮膚接着層２３を有する。これらの図に描かれている実施態様では、剥離ライナー１６は図１に示すような複数の創傷閉鎖材を支えるカットではなく、ある大きさにダイカットされる。いずれの場合も、剥離ライナー１６は創傷閉鎖材１２を製造してからそれを皮膚に用いるまでの間接着層２３を保護する役目を果たす。
【００２７】
創傷閉鎖材１２は、対向端部２６ａおよび２６ｂの間に位置する創傷架橋部２４を包含する。創傷架橋部２４は、両端部２６ａおよび２６ｂに比べ幅（この場合の幅は創傷閉鎖材１２の長さに対し横断方向に測定される）が狭いネック２８を含む。創傷架橋部２４のネック２８が体の創傷縁部の上に配置されるが、これにより医療従事者は創傷の実際の大きさを余すことなく見ることができる。
【００２８】
パッド部３０ａおよび３０ｂは、創傷閉鎖材１２の両端部２６ａおよび２６ｂの末端部に配置するのが好ましい。パッド部３０ａおよび３０ｂは例示したように、皮膚に接着する力を与える接着層２４の利用表面積を増やすために拡張してもよい。
【００２９】
図３では創傷閉鎖材１２は両端が対称でなく、創傷架橋部２４から測定した対向端部２６ａおよび２６ｂまでの長さが不等であり、即ち一方の端部２６ａは端部２６ａおよび２６ｂより短くてもよい。かかる非対称配置の利点は先に詳述した。
【００３０】
図３の創傷閉鎖材の側面図を図４に示す。この図では、剥離ライナー１６が僅かに重なり合う２つの区分１６ａおよび１６ｂに分割されているのが好都合であることが分かるだろう。このように配置することにより接着層２３から剥離ライナー１６を使用直前に容易に剥がすことができる。
【００３１】
図４はまた接着剤層２４に好ましく付着された補強層３２も示している。補強層３２は創傷架橋部２４内でのみ、より好ましくはネック２８でのみ創傷閉鎖材１２に取付けられており、端部２６ａおよび２６ｂには補強層３２が存在しないことが好ましい。補強層３２は、創傷閉鎖材が伸長するときに創傷閉鎖材１２から補強層３２が剥がれない程度に強く創傷閉鎖材１２に取付けられているのが好ましいだろう。より好ましくは、補強層３２は、創傷閉鎖材が３０％以下伸長した時に、創傷閉鎖材１２より剥がれない。例示した実施態様では、補強層３２はいずれかの好適な技術、例えば接着剤（患者に創傷閉鎖材１２を付着するのに用いる接着剤と同一または別種）、融着等を用いて創傷閉鎖材１２に取付けられてもよいが、補強層３２は接着剤２３を用いて創傷閉鎖材に取付けられる。
【００３２】
補強層３２を、接着剤２３と同一側の創傷閉鎖材１２上に配置する場合には、補強層３２に用いる材料は所望の伸長および弾性特性に加えて、傷ついた皮膚に対する接触に適合するものでなければならない。補強層３２を接着剤２３と同一側の創傷閉鎖材１２上に配置する利点の一つは、創傷架橋部２４内の接着剤２３が補強層３２により被覆されることである。この部分の接着剤２３を被覆することにより、接着剤２３が創傷縁部に付着し、そして創傷閉鎖材１２取外し時に問題が生ずる可能性を防ぐだろう。
【００３３】
上記の如く、補強層３２が多孔性であることも望ましいだろう。これらいくつかの基準を満たす好適なフィルムの一つは、ミネソタ州セントポール（Ｓｔ．Ｐａｕｌ，ＭＮ）のスリーエム社（３Ｍ  Ｃｏ．）により市販されている「プロポアケーエヌ（ＰＲＯＰＯＲＥ  ＫＮ）９４０００」多孔性ポリプロピレンフィルムである。創傷架橋部に好適な前記フィルム製品に関する詳細は、米国特許第４，７２６，９８９号明細書（ムロジンスキー（Ｍｒｏｚｉｎｓｋｉ））に見出せる。いずれの場合も、補強層３２の材料は厚さ約７５マイクロメートル（０．００３インチ）以下であるのが好ましいだろう。これより厚みのあるフィルムは、柔らかな創傷縁部に押しつけた時に患者が違和感を持ちやすいだろう。補強層３２の厚みは約６０マイクロメートル（０．００２３インチ）以下であることがより望ましいだろう。
【００３４】
次に図４を参照すると、４つの創傷閉鎖材１２を協働して用いて、本例では患者の腕に例示されている創傷（Ｗ）の創傷縁部を閉じた状態に保っている。特に留意すべきことは、創傷閉鎖材１２の長端部および短端部２６ａおよび２６ｂが交互に創傷の反対側に配備されるように端部２６ａおよび２６ｂが交互に配置されていることである。拡張部３０ａおよび３０ｂは創傷閉鎖材１２の固定力を高めるが、もし創傷閉鎖材が左右対称であったならば、創傷閉鎖材は示されているような直線状の創傷に沿って互いに干渉しあい、重なり合うだろう。言い換えれば、それらをどれだけ近接して一緒に配置するかが制限され、この制限により創傷のより密な結合を必要とする例への使用が妨げられることになるだろう。しかし図は、端部２６ａおよび２６ｂの長さが不等であることにより創傷閉鎖材１２を入れ子状に配置することができ、それにより創傷の遮蔽度を小さくしながら、創傷をまたぐ結合点の数を創傷全長にわたって十分確保し、同時に皮膚に強固な固定を得るための面積を増やすことができることを示している。
【００３５】
図４では、接着性皮膚塗布剤１４の範囲が創傷閉鎖材１２に隣接する領域内に置かれていることも分かる。接着性皮膚塗布剤１４が塗布された領域は、好ましくは創傷閉鎖材１２の下ではなく、その隣接部であることが好ましい。しかし、図４に示されるように、毛細管現象により１以上の創傷閉鎖材１２架橋部２４の下にある接着性皮膚塗布剤１４を吸引することがある。しかしながらこの問題は、創傷閉鎖材１２が創傷架橋部２４で多孔性であり、その結果創傷閉鎖材１２の下に吸引された接着性皮膚塗布剤１４は乾燥するものとして対処されるだろう。別の方法では、接着性皮膚塗布剤１４は接着性創傷閉鎖材１２の上および隣接部の両方に塗布される。しかし、好ましい接着性創傷閉鎖材１２の多孔性（少なくとも創傷架橋部内）により、接着性創傷閉鎖材１２と患者の間の接着性皮膚塗布剤１４を乾燥させることができる。
【００３６】
創傷架橋部２４を説明する場合、本明細書で使用される多孔性または微細孔性（およびその変形）という語は、創傷架橋部２４がその全厚みにおいて多孔性または微細孔性であること、即ち創傷架橋部内に配置された全ての材料層（２以上存在する場合）が、創傷架橋部２４の下にある皮膚塗布剤が創傷架橋部を通して乾燥できる（例えば皮膚塗布剤の成分が創傷架橋部２４を通過して蒸発できる）程度の多孔性または微細孔性を有していることを意味する。例えば、創傷架橋部２４が補強材３２およびバッキング２２の層を含む時、両層は多孔性または微細孔性であり、創傷架橋部下の皮膚塗布剤は創傷架橋部を通して乾燥できる。
【００３７】
多孔性に加えて、創傷架橋物２４は接着性皮膚塗布剤１４が創傷閉鎖材１２の架橋部２４を患者に皮膚に付着させないように構成されていることが好ましい。あるいは、患者に触れる材料だけを接着性皮膚塗布剤１４が創傷閉鎖材１２の創傷架橋部を患者に付着させないように構成しても十分だろう。さらに、創傷閉鎖材１２の患者に触れる全ての部分を、接着性皮膚塗布剤１４が創傷閉鎖材１２を患者に付着させないように構成されるのも好ましい。
【００３８】
様々な弾性ウェブが本発明の創傷閉鎖材１２のバッキング２２として好適に使用できる；例えば塩化ポリビニル製フォームの薄層は望ましい特性を提供するだろう。しかしながら、熱可塑性小径繊維をベースとしたメルトブローウェブをベースとした一部の不織弾性ウェブは、その優れた順応性および水蒸気透過性故に好ましい。より具体的には、マイクロファイバーウェブを調製できる熱可塑性材料としては、例えば弾性ポリウレタン、弾性ポリエステル、弾性ポリアミドおよびＡおよびＡ’がスチレン性成分でありＢが弾性ミッドブロックである弾性Ａ−Ｂ−Ａ’ブロックコポリマーを挙げることができる。
【００３９】
本発明での使用に好ましい弾性小径繊維は、例えば約１〜５０マイクロメートルを超える直径を有することが好ましく、より好ましくは約５〜約３０マイクロメートルの直径を有することが好ましい。こうして形成された弾性ウェブは３０％以下伸長した後で機械方向に少なくとも８５％、より好ましくは少なくとも９０％、そして最も好ましくは少なくとも９５％回復するのが好ましい。バッキング１２に使用するウェブは、横方向（即ち機械方向に対し横断方向）に３０％以下伸長した後にこの方向に少なくとも８０％、より好ましくは少なくとも８５％、最も好ましくは少なくとも９０％回復することも好ましい。
【００４０】
不織メルトブロー弾性ウェブは、いずれかの好適な工程により調製できる。本発明での使用に好適ないくつかの弾性ウェブについての追加情報は米国特許第５，２３０，７０１号明細書（マイヤー（Ｍｅｙｅｒ）ら）に見ることができる。
【００４１】
好適なバッキングはまた通気性不織テープバッキングからも形成することができるが、このときの不織テープバッキングは接着成分領域を有する多成分繊維により部分的に形成された繊維状不織ウェブを包含する。多成分繊維は、接着性成分領域が不織テープバッキングの両側外面に露出するように不織テープバッキングの幅寸法全体に分配されている。接着性成分領域は、接着成分と少なくとも１種類の非接着性成分とを熱溶融共押出し成形して多成分繊維を形成することで作製した感圧接着領域であることが好ましい。不織テープバッキングは、多成分繊維作製と同時に、または多成分繊維を不織バッキングに捕集すると同時に作製するのが好ましい。かかる材料の作製方法および接着層への提供方法に関する詳細は、米国特許第６，１０７，２１９号明細書（ジョセフ（Ｊｏｓｅｐｈ）ら）に見出すことができるだろう。
【００４２】
バッキング２２は皮膚適合性感圧接着層２３でコーティングするのが好ましい。上記の多成分繊維製バッキングをバッキングに使用する場合は、まずメルトブローマイクロファイバー感圧接着性ウェブを調製し、次にこのウェブをバッキングに重ねるのが特に有利であろう。米国特許第６，１０７，２１９（ジョセフ（Ｊｏｓｅｐｈ）ら）明細書の中の「接着性サンプル（Ａｄｈｅｓｉｖｅ  Ｓａｍｐｌｅ）１、２および３」と題する実施例は、本発明での使用に好適であろう材料および方法を開示している。
【００４３】
本発明の接着剤層に使用可能なその他の好適な感圧接着剤は、米国再発行特許ＲＥ２４，９０６号明細書に記載のアクリレートコポリマー、具体的にはイソ−オクチルアクリレート：アクリルアミドの重量比が９７：３であるコポリマー、またはイソ−オクチルアクリレート：アクリルアミド重量比９６：４のコポリマーのような、皮膚に塗布される通常の接着剤である。イソ−オクチルアクリレートとＮ−ビニルピロリドンのコポリマーまたはイソ−オクチルアクリレートとアクリル酸のコポリマーといったその他の医療用皮膚接着剤も用いることができる。
【００４４】
本発明の創傷閉鎖材と関連しての使用に適したライナーは、クラフト紙、ポリエチレン、ポリプロピレン、ポリエステル、またはこれら材料の組成物から作製することができる。ライナーはフルオロケミカルまたはシリコーンのような剥離剤でコーティングするのが好ましいだろう。例えば、米国特許第４，４７２，４８０号明細書（オルソン（Ｏｌｓｏｎ））は低表面エネルギーペルフルオロケミカルライナーを記載している。いくつかの好ましいライナーは、シリコーン剥離剤をコーティングした紙、ポリオレフィンフィルム、またはポリエステルフィルムである。本発明での使用に好適と考えられる市販剥離ライナーの一例は、フランス、ダクスにあるソーパルフランス社（Ｓｏｐａｌ  Ｆｒａｎｃｅ，Ｄａｘ，Ｆｒａｎｃｅ）よりＳＣ５０  １Ｆ  Ｍ４Ｄとして市販されているシリコーンコーティング剥離紙である。アラバマ州、カルマン（Ｃｕｌｌｍａｎ，ＡＬ）にあるディーシーピーローヤ（ＤＣＰ−Ｌｏｈｊａ）から市販されているＥＳＰ−４８ライナーも好適と考えられる。
【００４５】
本発明による実施態様での使用には、接着剤とライナーとの別の組合せも予想される。当業者は異なるライナーについて新規接着剤をまたは異なる接着剤について新規ライナーを試験する手順には熟知しており、最終製品に望まれる品質の組合せを知ることができるだろう。シリコーン性剥離ライナーの選択に関する考察は、ハンドブック・オブ・プレッシャ・センシティブ・アドヒーシブ・テクノロジー（Ｈａｎｄｂｏｏｋ  ｏｆ  Ｐｒｅｓｓｕｒｅ  Ｓｅｎｓｉｔｉｖｅ  Ａｄｈｅｓｉｖｅ  Ｔｅｃｈｎｏｌｏｇｙ）の１８章、バンノストランド−ラインホールド（Ｖａｎ  Ｎｏｓｔｒａｎｄ−Ｒｅｉｎｈｏｌｄ）、１９８２年、ｐｐ．３８４〜４０３に見出せるだろう。米国特許第４，４７２，４８０号明細書もまた、過フルオロポリエーテル剥離ライナーの選択に関する考察を記載している。
【００４６】
本発明の創傷閉鎖材は、作製する閉鎖材とって適当な幅にスリットが入れられた、縦長の、長さ不定のウェブとしてバッキングを調製することにより有利に作製されるだろう。次に接着層を好適な手段、例えばカーテンコーティング、ナイフコーティング、メルトブロー等を用いて取付ける。必要に応じて、細いリボン材料を接着層に置いて補強層を形成する。典型的には、この構築体の上に剥離ライナーを、必要に応じて単層または重なり合う２片構造として貼り合せる。次に創傷閉鎖時を貼り合わせ構築体から打ち抜きし、独立した閉鎖材が望ましい場合には剥離ライナーを貫通して打ち抜き、または図１に従い剥離ライナー１６の上に複数の創傷閉鎖材１２を含む配置が望ましい場合には、剥離ライナーを適度に打ち抜く。通常のスリット形成およびカッティング技術は、当業者周知の様式で行われるだろう。
【００４７】
図６および図７は、バッキング１２２とその上に塗布された皮膚用接着剤１２３とを包含する別の創傷閉鎖材１１２を示している。創傷閉鎖材１１２はまた上記の如くに創傷架橋部を画定する補強層１３２も包含している。しかし創傷閉鎖材１１２の創傷架橋部は上記実施態様のように細く、またはネック状にはなっていない。
【００４８】
創傷閉鎖材１１２に関連し描かれる追加の随意部品は、補強層１３２と皮膚用接着剤１２３との間に位置する吸収層１４０である（これ故に吸収層１４０は図６では破線で示されている）。しかし、創傷閉鎖材１１２内の吸収層１４０の正確な位置は変わってもよい。例えば、いくつかの実施態様では、吸収層１４０は補強層１３２から見て、バッキング１２２の反対側に位置するだろう。
【００４９】
吸収層１４０は創傷閉鎖材１１２に関連する１以上の機能を提供するために存在する。例えば、吸収層１４０は創傷浸出液を吸収するために存在する。吸収層１４０が果たすであろう別の機能は、皮膚塗布剤の吸収である。例えば、創傷閉鎖材で創傷を横断して置いた後に過剰量の皮膚塗布剤を塗布した場合、吸収層１４０は少なくとも過剰な皮膚塗布剤の一部を吸収し、それにより、例えば皮膚塗布剤が創傷に侵入して皮膚上の貯留等の形成を防止する。結果として、吸収層１４０は本発明による創傷閉鎖材と関連して用いら得る皮膚塗布剤に親和性を示すことが望ましいだろう。吸収層１４０の好適な材料の例としては、例えば織布材、不織布材、フォーム等を挙げることができるが、これらに限定されない。
【００５０】
いくつかの実施態様では、補強層自体が、創傷架橋部を補強することに加えて、若干の吸収特性を示すだろう。
【００５１】
本発明の方法は単独の創傷閉鎖材に隣接する創傷、または隣接する一組の創傷閉鎖材の間の創傷に皮膚塗布剤を選択的に塗布するステップを含むのが好ましいが、創傷閉鎖材構造に吸収材を組入れることにより、使用者は皮膚塗布剤が創傷閉鎖材に直接塗布されている、または創傷閉鎖材と患者との間に浸透させた塗布剤が吸収層により吸収されていることを認識して（創傷閉鎖材を患者に付着しないことに加え）、より自由に皮膚塗布剤を使用することができる。
【００５２】
本発明の方法およびシステムは、創傷治療に適合したシアノアクリレートベース接着剤を包む接着性皮膚塗布剤を包含していてもよい。かかる材料の例としては、例えば米国特許第５，２５４，１３２号明細書（バレリー（Ｂａｒｌｅｙ）ら）；米国特許第５，４８０，９３５号明細書（グレッフ（Ｇｒｅｆｆ）ら）；米国特許第５，７５３，６９９号明細書（グレッフ（Ｇｒｅｆｆ）ら）；米国特許第６，２１４，３３２Ｂ１号明細書（アスキル（Ａｓｋｉｌｌ）ら）；等に記載されている。本発明の方法およびシステムは、あるいは皮膚治療に適合したピロキシリンベース接着剤を含む接着性皮膚塗布剤が挙げられる。かかる材料の一例は、商標ＮＥＷ−ＳＫＩＮで市販されている。本発明との関連において望まれる創傷架橋部の付着を制限することは、シアノアクリレートベースまたはピロキシリンベース接着剤を使用する際に、創傷縁部との接触部に例えば微細孔性ポリプロピレン、ポリエステル等を利用することで達成されるだろう。米国特許第５，２５９，８３５号明細書（クラーク（Ｃｌａｒｋ）ら）記載のシアノアクリルベース接着剤は、創傷閉鎖材の材料を選択して上記流動性接着剤を用いて皮膚への創傷閉鎖材の接着を制限する場合に、本発明との関連で使用できるだろう。
【００５３】
本発明での使用に好適である接着性皮膚塗布剤に目を向けると、本発明と関連し用いる接着性皮膚塗布剤は、アルカンをベースとしたシロキシポリマー反応溶媒を用いた溶媒系を有するのが好ましいだろう。アルカンをベースとしたシロキシポリマー反応溶媒系は、典型的には主に直鎖、分枝、または環式アルカンを含有し、重量比５３／３９／８のＴＲＩＳ（３−メタクリロイルオキシルオキシプロピルトリス（トリメチルシロキシ）シラン）／メチルメタクリレート／イソ−オクチルアクリレートの特異的モノマー組成物の重合反応向け反応溶媒として機能できる（即ち反応組成物の非反応性流動部分）。溶媒系は、以下に規定する標準重合反応の下で上記特異的モノマー組成物を利用する重合反応を実施することにより、通常評価の中で容易に特定できる。
【００５４】
標準重合反応は、モノマーと溶媒との合計をベースとする総モノマー重量濃度２０％のものと、総モノマーをベースとした０．３重量％のＶＡＺＯ６７フリーラジカル開始剤とを、反応温度７０℃にて、窒素存在下に３６時間反応することを含む（モノマー変換率が９０％超になった場合にはより短時間にする）。溶媒系は、室温まで冷却した時に反応組成物が透明な流動性のポリマー溶液であればアルカンをベースとしたシロキシポリマー反応溶媒が想定され、そしてポリマー産物の固有粘性（ＡＳＴＭ（米国試験材料協会）Ｄ２８５７−９５に従い２５℃にて、エドワードエイコリンズ（Ｅｄｗａｒｄ  Ａ．Ｃｏｌｉｎｓ）、ジャンバレス（Ｊａｎ  Ｂａｒｅｓ）およびフレッドダブリュービルマイヤー（Ｆｒｅｄ  Ｗ．Ｂｉｌｌｍｅｙｅｒ）、ニューヨーク（Ｎｅｗ  Ｙｏｒｋ）、ウイリー（Ｗｉｌｅｙ）社（１９７３年）ｐｐ１４６〜１５３の「ポリマーサイエンスの実験（Ｅｘｐｅｒｉｍｅｎｔｓ  ｉｎ  Ｐｏｌｙｍｅｒ  Ｓｃｉｅｎｃｅ）」で考察された原理に従い試験した時に「ＩＶ」）は、基準固形物濃度０．５％の酢酸エチレン溶媒中では０．５ｄｌ／ｇ未満である。０．５ｄｌ／ｇより大きな固有粘度を有するポリマーを生ずる溶媒は不適当である。試験の具体的手順を以下に説明する。
【００５５】
ＴＲＩＳ４．２４ｇ、メチルメタクリレート３．１２およびイソ−オクチルアクリレート０．６４ｇの混合物を４オンスの細口フリントガラスビンの中で溶媒３２ｇに溶解し、ＶＡＺＯ６７０．０２４ｇを加えた。溶液に窒素を１リットル／分の流量で２分間パージして溶解酸素を除いた。ビンをテフロンライナーの付いた金属製キャップで密封し、前もって７０℃に設定しておいたラウンダー−ｏ−メーターに最低２４時間入れた。変換率は、１０５℃で６０分間乾燥させた時の非揮発性固形物の消失率を測定して決定した。
【００５６】
本発明に好ましい接着性皮膚塗布剤との使用に好ましい溶媒は、１以上のＣ５〜Ｃ１２の直鎖、分枝、または環式アルカンより選択される。特に好ましい溶媒は、メチルシクロペンタン；ｎ−ヘプタン；ｏ−オクタン；ｎ−ノナン；２，２，４−トリメチルペンタン；３，４−ジメチルヘキサンである。溶媒系としてはさらに直鎖、分枝、または環式のＣ１０〜Ｃ１２アルカンと、１以上のＣ５〜Ｃｑ直鎖、分枝、もしくは環式アルカンとの混合物である溶媒混和物も挙げられるだろう。
【００５７】
例えば、いくつかの好ましい溶媒混和物としては、１以上のｎ−デカン、ｎ−ウンデカンまたはｎ−ドデカンと、１以上のメチルシクロペンタン；ｎ−ヘプタン；ｎ−オクタン；ｎ−ノナン；２，２，４−トリメチルペンタン；３，４−ジメチルヘキサンとの混合物が挙げられる。
【００５８】
本発明との関連にて接着性皮膚塗布剤として使用できる液性ポリマー含有コーティング剤としては、シロキサン含有ポリマーおよび使用者を刺激しない溶媒系が挙げられるだろう。好ましくは、ポリマーは１〜４０重量％存在し、溶媒は６０〜９９％の量で存在する。本発明との関連では、材料は、隣り合う一対の創傷閉鎖材間の、または単独の創傷閉鎖材に隣接する（創傷閉鎖材を１つのみ使用する場合）空間にある創傷の縁部間に接着性の結合を好ましく形成する。
【００５９】
上記記載は例示を目的としたものであり、限定を意図したものでないことを理解しなければならない。本発明の各種改良および代替物は、本発明の範囲から逸脱することなしに上記記載より当業者に対し明らかになり、そして本発明は本明細書に記載の例示的実施態様に限定されるものではないと理解されるものとする。
【図面の簡単な説明】
【００６０】
【図１】本発明の皮膚閉鎖システムを具現化するキットの平面図である。
【図２】本発明に従い作製された創傷閉鎖材の斜視図である。
【図３】図２の創傷閉鎖材の平面図である。
【図４】図３の創傷閉鎖材の側面図である。
【図５】患者の腕の創傷の創傷端部固定を目的とする皮膚塗布剤の適用に用いた、本発明の４つの創傷閉鎖材を表す図である。
【図６】本発明のシステムおよび方法に関連し用いられる接着性創傷閉鎖材の患者側を表す図である。
【図７】図６の接着性創傷閉鎖材の（図６の線７−７に沿った）断面図である。
【図１】
2005526571.tif 000003
【図２】
2005526571.tif 000004
【図３】
2005526571.tif 000005
【図４】
2005526571.tif 000006
【図５】
2005526571.tif 000007
【図６】
2005526571.tif 000008
【図７】
2005526571.tif 000009
【国際調査報告】
2005526571.tif 000010
2005526571.tif 000011
2005526571.tif 000012
2005526571.tif 000013